(57)【要約】【課題】  自在に開閉自在な蓋体を備えたキッチンカウンターにあって、実際の使用に耐え得る実用性の高いキッチンカウンターを提供するとともに、居住空間にインテリア性の高いキッチンカウンターを提供することにある。【解決手段】  本発明はキッチンカウンター本体２の上面周縁に凸状の縁取り部２〜１を設け、水落を防止すると同時に、キッチンカウンター本体２の後部に蝶番５を付けた蓋体１を取り付け開閉自在にした。蓋体１の内側周縁に凸状の縁取り部１〜１を設け、当該縁取り部分が相互に当接することで、キッチンカウンター本体２の上面部分（シンク等）が完全に密閉される。【選択図】  図１
2007283085.tif 000002
【特許請求の範囲】
【請求項１】
キッチンカウンター本体の上面全体を覆うように開閉自在に取り付けられ、その内側周縁を凸状に縁取りした蓋体と、
キッチンカウンター本体の上面周縁を凸状に縁取りしたキッチンカウンター本体とを備え、当該縁取り部分が相互に当接することを特徴とするキッチンカウンター構造。
【請求項２】
蓋体を閉じた状態での高さ寸法が１０００ｍｍ以下になることを特徴とする請求項１記載のキッチンカウンター構造。
【請求項３】
防火・防水性能を有する蓋体を備えたことを特徴とする請求項１又は２記載のキッチンカウンター構造。
【請求項４】
蓋体を透明又は半透明としたことを特徴とする請求項１から３のいずれかに記載のキッチンカウンター構造。
【請求項５】
キッチンカウンター本体背面に照明設備を備えたことを特徴とする請求項１から４のいずれかに記載のキッチンカウンター構造。
【請求項６】
キッチンカウンター本体に、吐水口根元を曲折自在とする立型水栓を備えたことを特徴とする請求項１から５のいずれかに記載のキッチンカウンター構造。
【請求項７】
キッチンカウンター本体に、蛇腹ホースつきの混合水栓のホルダー部分を、吐水口根元から引抜自在とする立型水栓を備えたことを特徴とする請求項１から５のいずれかに記載のキッチンカウンター構造。
【請求項８】
アイランドキッチンにおいて、カウンターの上にもう一枚のカウンターを乗せ、この覆いのカウンターがスライドすることを特徴とするキッチンカウンター構造。
【請求項９】
設備機器をキャビネット内に格納すべく、設備機器がキャビネットを上下する機能、設備機器がキャビネットから引き出される機能、レンジフードは吊戸棚キャビネットに格納してあり、フードの内部はフードカバーで底蓋になり、フードの内部は見えなくなり戸棚として家具の一部になる機能を備えたことを特徴とするキッチンカウンター構造。
【請求項１０】
キッチンカウンター本体の流しに備えられた立型水栓にあって、吐水口根元を曲折自在とすることを特徴とする立型水栓。
【請求項１１】
キッチンカウンター本体の流しに備えられた立型水栓にあって、蛇腹ホースつきの混合水栓のホルダー部分を吐水口根元から引抜自在とすることを特徴とする立型水栓。
【請求項１２】
吊戸棚キャビネットの中に収納して、使用する時だけフードカバーを引き出し、レンジフードに家具的要素を持たせ、必要のないときには目立たせないようにフードカバーをキャビネットの中に戻すことによりフードの底蓋になり内部が見えないことを特徴とする格納式レンジフード。
【発明の詳細な説明】
【技術分野】
【０００１】
本発明は、住まいにおいて必要なキッチンを常時露出する事無く、特殊なカウンターに開閉自在の蓋体を取り付け、キッチンと家具の二面性を持たせたキッチンカウンタの構造に関するものである。
【背景技術】
【０００２】
従来、キッチンは流し（シンク），調理台，調理器具（以下「流し等」）がむき出しなっていた。このため、ワンルームマンションの部屋にキッチンをセットすると、キッチン不使用時でも常時流し等が露出しているため部屋の雰囲気が良くないという問題があった。また、目隠し用の引き戸や間仕切りをすると、余分な設備のため部屋が狭くなるという問題もあった。
【０００３】
このような問題点を解消するため、キッチン自体に蓋などを付けて、流し等を覆い隠すことが考えられた。以下にこれに関する本発明者が調査した特許文献を開示する。
【０００４】
【特許文献１】特開２００３−１８０４５９号公報
【特許文献２】実開平０６−  ４４４４０号公報
【特許文献３】実開平０６−  ２６５７７号公報
【特許文献４】実開平０６−      １６８号公報
【特許文献５】特開平０５−  ４９５１８号公報
【特許文献６】実開平０４−  ３４９４１号公報
【特許文献７】実開平０４−    ４８３２号公報
【特許文献８】実開平０３−１２５８７０号公報
【特許文献９】実開平０３−１１６１３８号公報
【特許文献１０】実開平０３−１１６１２３号公報
【特許文献１１】実開平０３−  ７２７３７号公報
【特許文献１２】実開平０２−１４１２２４号公報
【特許文献１３】実開平０２−  ６２９６０号公報
【特許文献１４】実開平０１−１５８７４６号公報
【特許文献１５】実開平０１−１０３３３２号公報
【特許文献１６】実開昭６３−  ５４３３７号公報
【特許文献１７】実開昭６２−１８２６４２号公報
【特許文献１８】実開昭６２−１４５５３２号公報
【特許文献１９】実開昭６０−１９１２３３号公報
【特許文献２０】実開昭５９−  ４４３４９号公報
【特許文献２１】実開昭５８−１５３２７６号公報
【発明の開示】
【発明が解決しようとする課題】
【０００５】
確かに、キッチン自体に蓋などを付けて流し等を覆い隠す技術思想は、上記した特許文献１〜２１に開示されている。
しかし、上記特許文献のほとんどはキッチンに蓋などを設ける点だけに言及されており、実際に蓋付きキッチンの細部にわたる構造・機能にまで言及し、実用性のあるものは発見されなかった。
【０００６】
そこで、本発明者は、自在に開閉自在な蓋体を備えたキッチンカウンターにあって、実際の使用に耐え得る実用性の高いキッチンカウンターを提供するとともに、居住空間にインテリア性の高いキッチンカウンターを提供することを目的とする。
【課題を解決するための手段】
【０００７】
上記目的を達成するために、第１の発明は、キッチンカウンター本体の上面全体を覆うように開閉自在に取り付けられ、その内側周縁を凸状に縁取りした蓋体と、キッチンカウンター本体の上面周縁を凸状に縁取りしたキッチンカウンター本体とを備え、当該縁取り部分が相互に当接するキッチンカウンター構造であることを特徴とした。
ここで、「キッチンカウンター本体の上面」とは、流し（シンク），調理台，調理器具などがむき出しなっている部分をいう。
第２の発明は、蓋体を閉じた状態での高さ寸法が１０００ｍｍ以下になるキッチンカウンター構造であることを特徴とした。
第３の発明は、防火・防水性能を有する蓋体を備えたキッチンカウンター構造であることを特徴とした。
第４の発明は、蓋体を透明又は半透明としたキッチンカウンター構造であることを特徴とした。
第５の発明は、キッチンカウンター本体背面に照明設備を備えたキッチンカウンター構造であることを特徴とした。
第６の発明は、キッチンカウンター本体に吐水口根元を曲折自在とする立型水栓を備えたキッチンカウンター構造であることを特徴とした。
第７の発明は、キッチンカウンター本体に、蛇腹ホースつきの混合水栓のホルダー部分を、吐水口根元から引抜自在とする立型水栓を備えたキッチンカウンター構造であることを特徴とした。
第８の発明は、アイランドキッチンにおいて、カウンターの上にもう一枚のカウンターを乗せ、この覆いのカウンターがスライドするキッチンカウンター構造であることを特徴とした。
第９の発明は、設備機器をキャビネット内に格納すべく、設備機器がキャビネットを上下する機能、設備機器がキャビネットから引き出される機能、レンジフードは吊戸棚キャビネットに格納してあり、フードの内部はフードカバーで底蓋になり、フードの内部は見えなくなり戸棚として家具の一部になる機能を備えたキッチンカウンター構造であることを特徴とした。
第１０の発明は、キッチンカウンター本体の流しに備えられた立型水栓にあって、吐水口根元を曲折自在とすることを特徴とした。
第１１の発明は、キッチンカウンター本体の流しに備えられた立型水栓にあって、蛇腹ホースつきの混合水栓のホルダー部分を吐水口根元から引抜自在とすることを特徴とした。
第１２の発明は、吊戸棚キャビネットの中に収納して、使用する時だけフードカバーを引き出し、レンジフードに家具的要素を持たせ、必要のないときには目立たせないようにフードカバーをキャビネットの中に戻すことによりフードの底蓋になり内部が見えない格納式レンジフードであることを特徴とした。
【発明の効果】
【０００８】
本発明によれば、以下のような効果を有する。
（１）キッチンカウンターに自在に開閉出来る蓋体をつけることにより、蓋体を開けると、流し等が現れ料理をすることが出来る。蓋体を閉めるとカウンター上面の流し等が覆い隠され、蓋体の上部が家具台になり、インテリア性が増す。
（２）特に、一部屋しか確保出来ないワンルームマンション等の住宅事情にあって、一部屋にキッチン・居間・寝室を兼ねた住宅では露出しているキッチンも蓋体を閉めることにより、インテリア性が増し、家具としての役目も出てくる。
（３）そして、その蓋体の内側周縁を凸状に縁取りした縁取り部と、キッチンカウンター本体の上面周縁を凸状に縁取りした縁取り部とが、相互に当接することで、キッチンカウンター本体の上面部分が完全に密閉される。これにより、蓋体を閉じた状態でシンク等の露出、シンク等からの臭気・水分等の漏洩などを防止できる。また、蓋体を開けた状態でのシンク等の使用に障害となることはなく、逆にキッチンカウンター本体からの不用意な水落防止になる。
（４）蓋体を閉じた状態での高さ寸法が１０００ｍｍ以下であることで、蓋体を閉じた状態での使い勝手が非常に良くなる。
（５）防火・防水性能を有する蓋体を備えることで、キッチンカウンターの安全性が向上する。
（６）蓋体を透明又は半透明とすることやキッチンカウンター本体背面に照明設備を備えることで、キッチンカウンターのインテリア性が向上する。
（７）キッチンカウンター本体に吐水口根元を曲折自在とする立型水栓を備えることで、蓋体を容易に閉じることができるようになる。
【発明を実施するための最良の形態】
【０００９】
本発明の実施形態を図面に基づいて説明する。
図１は、蓋体１を９０度開いた状態を示す斜視図及び側面図である。
キッチンカウンター本体２の後部に蝶番５で蓋体１を取り付ける。蓋体１を持ち上げて開いたとき、蓋体１は蝶番５で固定される。蓋体１が開いた状態では不用意に閉まらないように安全性を高めるため、公知の固定ストッパー部材を取り付ける。蓋体１は分割しても良く、長さ・大きさ・用途等によって二分割以上の仕様も可能である。蓋体１に防火・防水性能を有することにより、蓋体１の裏側が水はね防止，油はね防止，仕切壁になり、部屋を汚さない役目も果たすことが可能である。
【００１０】
図２は、蓋体１を閉じた状態（０度）を示す斜視図及び側面図である。
蓋体１を閉じた状態では、蓋体１の内側周縁を凸状に縁取りした縁取り部１〜１と、キッチンカウンター本体２の上面周縁を凸状に縁取りした縁取り部２〜１が相互に当接し、キッチンカウンター本体２の上面部分（シンク等）が完全に密閉される。この時、縁取り部１〜１および縁取り部２〜１の高さは５〜１５ｍｍ、好ましくは５〜１０ｍｍである。この程度の高さであれば、蓋体１を開いてキッチンカウンター本体２のシンク等を使用する時にも邪魔にならないで、かつ、蓋体１によってキッチンカウンター本体２の上面部分（シンク等）が完全に密閉できる。また、キッチンカウンター本体２の縁取り部２〜１は、不用意な水落防止になる。
【００１１】
キッチンカウンター本体２に、蓋体１が閉じられて、調理器具，調理台，流し（シンク）等が見えなくなり家具台としての役割になる。例えば、パーティーなどでの料理を置く台にも利用できるし、作業する際の作業台にも利用できる。この時、蓋体１を閉じた状態の高さが１０００ｍｍ以下、好ましくは９６０ｍｍ以下、さらに好ましくは９００ｍｍ以下とすることで、家具台として非常に使い勝手の良いものとなる。
また、図示省略するが、蓋体１を透明又は半透明とすることで、キッチンカウンターや家具としてのインテリア性が向上する。
【００１２】
図３−１は、蓋体１を１８０度開閉可能とした場合の構造を示す側面図及び背面図である。上図２図は、蓋体１を１８０度開いた状態、下図２図は、蓋体１を閉じた状態（０度）を示している。
蓋体１を１８０度開くことにより、キッチンカウンター本体２と蓋体１は同一平面になり、図１の場合よりも２倍の広さを持つテーブルとして利用できる。略三角形状の収納式の補強支柱４により、蓋体１の強度は補強される。補強支柱４はキャビネット３の後部に回動自在に取り付けられており、蓋体１を閉じた場合には収納可能となっている（下図右図を参照）。
【００１３】
次に、図３−２について説明する。
アイランドキッチンにおいて、カウンター上には設備機器が露出しているが、部屋を多目的に使う場合はカウンターだけの方が良い。そこで設備機器を隠蔽するのにカウンターの上にもう一枚のカウンターＡＡを乗せて隠蔽する方法で、覆いのカウンターがスライドする事により、容易にキッチン仕様になり、スライドされたカウンターＡＡもテーブルとして、多目的に使用出来るしスライドで元に戻せば、コンパクトになる。
【００１４】
さらに、具体的に説明する。
設備機器を備えたアイランドキッチンの上にカバーとしてスライド可能なＡＡ設置して両脇の下部にＣＣローラーを固定するキャビネット両脇にスライドレールＢＢを固定するＢＢを引き出しＣＣはＢＢの上を移動するから容易に重量のあるカウンターも移動できる。
なお、図３−３の、ＤＤはカウンター収納時の側面、ＥＥはカウンタースライドしてキッチンを露出させた側面図、ＦＦはカウンターの後ろ正面から見た図である。
また、図３−４の、ＧＧはスライドレール平面図、ＨＨは同側面図、ＩＩはレールを引き出した側面図、ＪＪはレール正面図、ＫＫは同断面図、ＬＬはカウンターに取り付けレールの上を転がる車輪である。
【００１５】
図４及び図５は、キッチンカウンター本体２の背面に備えた照明設備に関する説明図である。
図４では、最上図に照明器具６をキッチンカウンター本体２の背面に備えた状態を示している。また、その下の４図はその照明器具６のカバー体であって、上から順にガラス又はアクリルパネル，パンチングメタルパネル，スノコ状に形成されたパネル，スリット状の隙間を形成したパネルである。
図５は、これら照明設備を備えたキッチンカウンター本体２を背面側から見た斜視図である。上図のように平面状の背面に照明が施されたり、下図のように曲面状の背面に照明が施されたりすることで、キッチンカウンターや家具としてのインテリア性が向上する。
【００１６】
図６及び図７は、立型水栓の吐水口を示す説明図である。
図示するように、立型水栓７の吐水口８の根本部分にメッシュ状の部材９を取り付ける。そして、図６に示すように、立型水栓７の使用時は吐水口８を立てる。図７に示すように立型水栓７の終了後に吐水口８を折り曲げると、出っ張りが無くなるので、蓋体１を容易に閉じることができるようになる。
【００１７】
図８−１から図８−４も、立型水栓の吐水口を示す説明図である。
立型水栓はカウンターから上に出っ張ったままでは上から蓋を閉めようとしても邪魔になって出来ない。立型水栓を根元から折れ曲がる事が出来れば邪魔が無いので蓋が出来る。そのために根元の部分を引き抜く事が出来る立型水栓である。
【００１８】
さらに、具体的に説明する。
図８−１に示すように、蛇腹ホース内臓の立型混合水栓ａａの本体根元部分にｂｂの水栓ホルダーが差し込まれているこの状態で使用できる。
図８−２では、ａａにｂｂが差し込まれている状態、図８−３では、ｂｂがａａから引き抜かれている状態、図８−４では、混合水栓を引き抜いた状態を示している。
なお、符号ｃｃは吐水部分、符号ｄｄはホース、符号ｅｅは本体固定金具を示している。
【００１９】
図９−１から図９−９は、その他のキッチンカウンター構造を示す説明図である。
ワンルームマンションにおいてはキッチンの設備が露出しているが、部屋を多目的に使用する場合は具合が悪い。そこで、設備をキャビネット内に格納して見えなくする構造である（図９−１参照）。設備機器がキャビネットから上下する装置、引き出しのキャビネットに設備機器を格納した装置、引き出すとカウンター部分がＩ型キッチンからＬ型キッチンになる。レンジフードは吊戸棚キャビネットに格納してあり、フードの内部はフードカバーで底蓋になり、フードの内部は見えなくなり戸棚として家具の一部になる構造である。
【００２０】
さらに、具体的に説明する。
図９−２から図９−７に示すように、設備格納式キャビネットであって、Ａカウンターを手前から上に開くと１０のガイド金物により２０の支点ピンに支持しながら９０度まで開くとＡの自重で１０のガイドに従い下に沈みこむ、３０の装置を押し下げることにより、４０のバーに連結した、ｄの滑車を押し下げる、ｅに固定させたｆのロープを押し下げるから、ｂに固定されたａの滑車稼動式のｃの滑車を上に引き上げる。ｃはそれにより上に上がり、ｃが上に上がれば設備機器を設置したカウンター部分が上昇する。格納する場合は設備部分のカウンターを上から押し下げることにより滑車が働き格納できる。カウンターは上昇してきて手前に蓋を閉じることが出来る構造である。
【００２１】
また、図９−１に示すロ、カウンターの下のキャビネットを手前に引き出すと、設備機器を格納しているキャビネットが、７１１引き出しレールガイドにガイドされ、６１１の車輪で手前に出てくる、９１１のパンタグラフは、２１１の設備を人間が上に引き上げることにより上に押し上げるがパンタグラフの下部は、１１９が車輪６１１を捕まえて車輪止めの役割を果たす。２１１は１１１と同じ高さになり、アイランドキッチンがＬ型キッチンになる、使用後は２１１を押し下げ、３１１のキャビネットの中に格納される構造体である。
なお、図９−８は、格納されている設備のキャビネットを引き出した状態の側面図、図９−９は、パンタグラフと車輪を稼動させている側面図である。
【００２２】
図１０−１から図１０−３は、格納式レンジフードに関するものである。
図１０−１に基づいて説明する。吊戸棚キャビネットの中に収納して、使用する時だけフードカバーを引き出す。レンジフードに家具的要素を持たせ、必要のないときには目立たせないようにフードカバーをキャビネットの中に戻すことによりフードの底蓋になり内部が見えない。（４００）フードカバーには上板、底板を付け、両サイドに（５００）の引き出しレールが付きフード本体の両脇に（６００）のレールホルダーによって前後スライドさせる。（４００）の上部に（１５０）の突起を前後に付け（８００）のカムを作動させる。（４００）フードカバーを引き出すと（８００）のカムは（９００）のスプリングに引っ張られて（１００）バーを下に引く（１０１）のバーは（１１０）の所で接続してる（１６５）の支点で（１０１）シーソー状態になるので（１００）のバーを上下に上げ下げすれば（１２０）の蓋は開閉する。この蓋は（１３０）給気筒のチャンバーの蓋で外気と繋がっている（２００）の外気は（１２０）の蓋が開く事により室内に流入可能になる。（３００）レンジフード本体はキャビネットの中に収納して、（７００）のレンジフードファンが回転することにより、（１００）室内空気が排気と一緒になり（３００）の中に取り込まれ（１４０）の排気筒から外部へ排出する（１６０）ダンパーである。
【００２３】
図１０−２（引き出し稼動の給気チャンバーの装置図）に基づいて説明する。（１３０）給気筒は外気と繋がっている下部にチャンバーを付け（１２０）の蓋を付け開閉できる。（１０１）のバーを（１００）のバーに（１１０）で接続して（１６５）の支点でシーソー状にしてある。（１００）のバーを上下すれば（１２０）の蓋が開閉して外気が流入できる。（８００）のカムに（１００）を接続してカムを（９００）のスプリングで常時引っ張っておく。（４００）のフードカバーを前後スライドさせると（１５０）の突起が（８００）のカムを作動させる。（４００）のフードカバーを（３００）の本体から手前にスライドするとカムは（１５０）の突起からはずれ（１２０）の蓋が開き、外気の流入が可能になる。（４００）を（３００）の本体に引き戻すと（１５０）の突起で（８００）のカムについている（１００）のバーは上に押しあがり、（１０１）に連動して（１２０）のチャンバーの蓋を閉じる。（８００）が（１５０）により固定された状態は（１２０）が閉じたままで固定されているため、外気圧の変動で強風が吹いてきても、蓋は開かない。
【００２４】
また、図１０−３は、給気チャンバーの開閉に電気式マグネットスイッチを使用した説明図であり、（１３０）給気筒と（１２０）チャンバーの開閉蓋の部分に（１２２）マグネットスイッチを設けるものである。
【産業上の利用可能性】
【００２５】
本発明は、広くキッチン・台所装置・ホームバー・作業台・その他種々の用途に使用することができる。
【図面の簡単な説明】
【００２６】
【図１】蓋体を９０度開いた状態における斜視図及び側面図。
【図２】蓋体を閉じた状態における斜視図及び側面図。
【図３−１】蓋体を１８０度開閉可能とした場合の構造を示す側面図及び背面図。
【図３−２】アイランドキッチンにおけるカウンター構造を示す説明図（その１）。
【図３−３】アイランドキッチンにおけるカウンター構造を示す説明図（その２）。
【図３−４】アイランドキッチンにおけるカウンター構造を示す説明図（その３）。
【図４】照明設備に関する説明図。
【図５】照明設備に関する説明図。
【図６】立型水栓の吐水口を示す説明図（使用時）。
【図７】立型水栓の吐水口を示す説明図（折曲時）。
【図８−１】その他の立型水栓の吐水口を示す説明図（その１）。
【図８−２】その他の立型水栓の吐水口を示す説明図（その２）。
【図８−３】その他の立型水栓の吐水口を示す説明図（その３）。
【図８−４】その他の立型水栓の吐水口を示す説明図（その４）。
【図９−１】その他のキッチンカウンター構造を示す説明図（その１）。
【図９−２】その他のキッチンカウンター構造を示す説明図（その２）。
【図９−３】その他のキッチンカウンター構造を示す説明図（その３）。
【図９−４】その他のキッチンカウンター構造を示す説明図（その４）。
【図９−５】その他のキッチンカウンター構造を示す説明図（その５）。
【図９−６】その他のキッチンカウンター構造を示す説明図（その６）。
【図９−７】その他のキッチンカウンター構造を示す説明図（その７）。
【図９−８】その他のキッチンカウンター構造を示す説明図（その８）。
【図９−９】その他のキッチンカウンター構造を示す説明図（その９）。
【図１０−１】格納式レンジフードの構造を示す説明図（その１）。
【図１０−２】格納式レンジフードの構造を示す説明図（その２）。
【図１０−３】格納式レンジフードの構造を示す説明図（その３）。
【符号の説明】
【００２７】
１  蓋体
２  キッチンカウンター本体
３  キッチンキャビネット
４  補強支柱
５  蝶番
１〜１  蓋体の縁取り部
１〜２  分割した蓋体
２〜１  キッチンカウンター本体の縁取り部
６  照明器具
７  立型水栓
８  吐水口
９  メッシュ状部材
あ  アイランド形設備機器格納キッチン
い  設備機器格納状態の説明図
う  キッチン使用可能状態説明図
イ  開閉するカウンター
ロ  引き出し式キャビネット
ハ  キッチンカウンター
ニ  ロの扉
ホ  設備機器格納キャビネットの扉
ヘ  設備器具
ト  設備機器
チ  レンジフード
ＡＡ  アイランドキッチンスライドカウンター
ＢＢ  スライドカウンター用レールと足
ＣＣ  ローラー
ＤＤ  アイランドキッチン側面図
ＥＥ  カウンターをスライドした側面図
ＦＦ  アイランドキッチン後正面図
ＧＧ  スライドレール平面図
ＨＨ  スライドレール側面図
ＩＩ  スライドレール引き出した側面図
ＪＪ  スライドレール正面図
ＫＫ  スライドレール正面図
ＬＬ  スライドローラー
ａａ  立型水栓本体固定部分
ｂｂ  立型水栓ホルダー部分
ｃｃ  吐水部分
ｄｄ  ホース
ｅｅ  本体固定金具
Ａ    開閉カウンター
Ｂ    設備機器をセットするカウンター
Ｃ    設備機器をセットした部分を上下させる装置
Ｄ    設備器具を設置したＢとＣの間に必要な調整部材
ａ    固定滑車
ｃ    Ｃを上下させる稼動滑車
ｄ    ３０を上下させる稼動滑車
ｅ    滑車を駆動させるロープの留めピン
ｆ    滑車を駆動させるロープ
１０  開閉カウンターのガイド金物
２０  １０が開閉したり下に沈みこむための支点ピン
３０  カウンターＡの沈み込んだ時にＣを上下に稼動させる部材
４０  ３０の上下運動をdの滑車に伝えるバー
２０−１  ２０のピンをキャビネットに固定する金物部材
１１１  キッチンカウンター（ハト同じ）
２１１  設備を設置したカウンター
３１１  キャビネット
４１１  引き出しキャビネット
５１１  シンク
６１１  引き出しキャビネットの車輪
７１１  引き出しキャビネットのガイドレール
８１１  排水や諸設備の接続元
１２１  パンタグラフと設備の間の調整材
１０１  車輪と引き出しキャビネットに取り付けた固定材
１１９  車輪止め
９１１  設備部分を上下させるパンタグラフ
１００  排気
２００  給気（外気）
１３０  給気筒
１３５  給気チャンバー
１６５  支点
１１０  接続ピン
１０１  バー
１００  バー
１２０  給気口の蓋（チャンバーの蓋）
１５０  突起
４００  フードカバー
３００  フード本体
５００  フードカバーに取り付けた引き出しレール
６００  フード本体に取り付けたレールホルダー
７００  レンジフードファン
８００  カム
９００  スプリング
【図１】
2007283085.tif 000003
【図２】
2007283085.tif 000004
【図３−１】
2007283085.tif 000005
【図３−２】
2007283085.tif 000006
【図３−３】
2007283085.tif 000007
【図３−４】
2007283085.tif 000008
【図４】
2007283085.tif 000009
【図５】
2007283085.tif 000010
【図６】
2007283085.tif 000011
【図７】
2007283085.tif 000012
【図８−１】
2007283085.tif 000013
【図８−２】
2007283085.tif 000014
【図８−３】
2007283085.tif 000015
【図８−４】
2007283085.tif 000016
【図９−１】
2007283085.tif 000017
【図９−２】
2007283085.tif 000018
【図９−３】
2007283085.tif 000019
【図９−４】
2007283085.tif 000020
【図９−５】
2007283085.tif 000021
【図９−６】
2007283085.tif 000022
【図９−７】
2007283085.tif 000023
【図９−８】
2007283085.tif 000024
【図９−９】
2007283085.tif 000025
【図１０−１】
2007283085.tif 000026
【図１０−２】
2007283085.tif 000027
【図１０−３】
2007283085.tif 000028